(57)【要約】【課題】反射光の利用を高効率にするとともに、配光の自由度が有る照明ランプを提供したい。【解決手段】発光ダイオード（ＬＥＤ５１）を搭載した発光部６０と、ＬＥＤ５１の横に配置され、ＬＥＤ５１からの光の進行方向を変化させる内部全反射プリズム７０とを備え、内部全反射プリズム７０は、ＬＥＤ５１の横に放射された光をＬＥＤ５１の発光方向に変更する。内部全反射プリズム７０は、光を入射する入射プリズム７１と、光を出射する出射プリズム７２と、反射ミラー７３とを備え、入射プリズム７１は、入射した光を反射ミラー７３に照射し、反射ミラー７３は、照射された光を出射プリズム７２に反射し、出射プリズム７２は、反射した光を出射する。【選択図】図３
2014056790.tif 000002
【特許請求の範囲】
【請求項１】
発光ダイオード（ＬＥＤ）を搭載した発光部と、
ＬＥＤの横に配置され、ＬＥＤからの光の進行方向を変化させる内部全反射プリズムと
を備え、
内部全反射プリズムは、ＬＥＤの横に放射された光の進行方向をＬＥＤの発光方向に変更することを特徴とする照明ランプ。
【請求項２】
内部全反射プリズムは、
光を入射する入射プリズムと、
光を出射する出射プリズムと、
反射ミラーとを備え、
入射プリズムは、入射した光を反射ミラーに照射し、
反射ミラーは、照射された光を出射プリズムに反射し、
出射プリズムは、反射ミラーにより反射された光を出射する
ことを特徴とする請求項１記載の照明ランプ。
【請求項３】
内部全反射プリズムは、
ＬＥＤの光を入射面で反射するとともに、ＬＥＤの光が反射されて戻ってきた輻射光を入射面で入射する反射プリズムと、
反射ミラーとを備え、
反射プリズムは、輻射光を反射ミラーに照射し、
反射ミラーは、照射された光を反射プリズムに反射し、
反射プリズムは、反射ミラーにより反射された光を出射する
ことを特徴とする請求項１記載の照明ランプ。
【請求項４】
内部全反射プリズムは、
照射された光の一部を反射する入射面を有する反射プリズムと、
反射ミラーとを備え、
反射プリズムは、入射面により反射されなかった光を入射して、反射ミラーに照射し、
反射ミラーは、照射された光を反射プリズムに反射し、
反射プリズムは、反射ミラーにより反射された光を出射する
ことを特徴とする請求項１記載の照明ランプ。
【請求項５】
発光部は、複数のＬＥＤを配列して搭載し、
内部全反射プリズムは、配列されて配置されたＬＥＤの両側に帯状に配置されたことを特徴とする請求項１〜４いずれかに記載の照明ランプ。
【請求項６】
発光部は、ＬＥＤを搭載した基板を有し、
内部全反射プリズムは、基板に取り付けられたことを特徴とする請求項１〜５いずれかに記載の照明ランプ。
【請求項７】
発光部は、ＬＥＤを搭載した基板と、基板を固定したヒートシンクとを有し、
内部全反射プリズムは、ヒートシンクに取り付けられたことを特徴とする請求項１〜５いずれかに記載の照明ランプ。
【請求項８】
内部全反射プリズムは、
ＬＥＤの配光角外の光を、ＬＥＤの配光角内の光になるように進路変更することを特徴とする請求項１〜５いずれかに照明ランプ。
【発明の詳細な説明】
【技術分野】
【０００１】
この発明は、例えば、発光ダイオード（ＬＥＤ）を用いた直管形ＬＥＤランプ等の照明ランプに関する。
【背景技術】
【０００２】
直管形ＬＥＤランプの光を所定の発光方向に向けたい場合、反射板を利用している。
【先行技術文献】
【特許文献】
【０００３】
【特許文献１】特開２０１１−６４８８６号公報
【特許文献２】特開２００９−２０４２４号公報
【特許文献３】特開２０１０−１５７４５９号公報
【特許文献４】特開２００１−６００６８号公報
【特許文献５】特開２００５−５５１９９号公報
【特許文献６】特開２０１１−５２３４９７号公報
【特許文献７】特開平５−１１７１６号公報
【発明の概要】
【発明が解決しようとする課題】
【０００４】
反射板を用いると、反射光の方向は、反射板の入射角により定まってしまい、配光角外の光を反射しても、発光方向に効率よく反射することができないという課題が有る。
そこで、反射光の利用を高効率にするとともに、配光の自由度が有る照明ランプを提供したい。
【課題を解決するための手段】
【０００５】
本発明に係る照明ランプは、
発光ダイオード（ＬＥＤ）を搭載した発光部と、
ＬＥＤの横に配置され、ＬＥＤからの光の進行方向を変化させる内部全反射プリズムと
を備え、
内部全反射プリズムは、ＬＥＤの横に放射された光の進行方向をＬＥＤの発光方向に変更することを特徴とする。
【０００６】
内部全反射プリズムは、
光を入射する入射プリズムと、
光を出射する出射プリズムと、
反射ミラーとを備え、
入射プリズムは、入射した光を反射ミラーに照射し、
反射ミラーは、照射された光を出射プリズムに反射し、
出射プリズムは、反射ミラーにより反射された光を出射する
ことを特徴とする。
【０００７】
内部全反射プリズムは、
ＬＥＤの光を入射面で反射するとともに、ＬＥＤの光が反射されて戻ってきた輻射光を入射面で入射する反射プリズムと、
反射ミラーとを備え、
反射プリズムは、輻射光を反射ミラーに照射し、
反射ミラーは、照射された光を反射プリズムに反射し、
反射プリズムは、反射ミラーにより反射された光を出射する
ことを特徴とする。
【０００８】
内部全反射プリズムは、
照射された光の一部を反射する入射面を有する反射プリズムと、
反射ミラーとを備え、
反射プリズムは、入射面により反射されなかった光を入射して、反射ミラーに照射し、
反射ミラーは、照射された光を反射プリズムに反射し、
反射プリズムは、反射ミラーにより反射された光を出射する
ことを特徴とする。
【０００９】
発光部は、複数のＬＥＤを配列して搭載し、
内部全反射プリズムは、配列されて配置されたＬＥＤの両側に帯状に配置されたことを特徴とする。
【００１０】
発光部は、ＬＥＤを搭載した基板を有し、
内部全反射プリズムは、基板に取り付けられたことを特徴とする。
【００１１】
発光部は、ＬＥＤを搭載した基板と、基板を固定したヒートシンクとを有し、
内部全反射プリズムは、ヒートシンクに取り付けられたことを特徴とする。
【００１２】
内部全反射プリズムは、
ＬＥＤの配光角外の光を、ＬＥＤの配光角内の光になるように進路変更することを特徴とする。
【発明の効果】
【００１３】
この発明では、光学パーツを用いるので、反射光の反射方向を所望の方向に設定することができ、高効率でかつ所望の配光の照明ランプを提供できる。
【図面の簡単な説明】
【００１４】
【図１】実施の形態１の照明ランプ５０を示す図。
【図２】実施の形態１の発光部６０と内部全反射プリズム７０との斜視図。
【図３】実施の形態１の照明ランプ５０のＡＡ断面図。
【図４】実施の形態１の内部全反射プリズム７０の光の進行方向の説明図。
【図５】実施の形態２の照明ランプ５０のＡＡ断面図。
【図６】実施の形態３の照明ランプ５０のＡＡ断面図。
【図７】実施の形態４の照明ランプ５０のＡＡ断面図。
【図８】実施の形態５の発光部６０の斜視図。
【図９】実施の形態５の照明ランプ５０のＡＡ断面図。
【図１０】実施の形態６の照明ランプ５０のＡＡ断面図。
【図１１】実施の形態７の照明ランプ５０のＡＡ断面図。
【図１２】実施の形態８の照明ランプ５０のＡＡ断面図。
【発明を実施するための形態】
【００１５】
以下、本発明の実施の形態について、図を用いて説明する。なお、各実施の形態の説明において、「上」、「下」、「左」、「右」、「前」、「後」、「表」、「裏」といった方向は、説明の便宜上、そのように記しているだけであって、装置、器具、部品等の配置や向き等を限定するものではない。
【００１６】
実施の形態１．
図１は、実施の形態１の照明ランプ５０を示す図である。照明ランプ５０は、例えば、発光ダイオードランプである。
照明ランプ５０は、筒状のガラス管５６を有している。ガラス管５６は、透明な又は透光性のある直管形ガラス管である。ガラス管５６のガラスは、摂氏９００度以下の温度では溶けない高融点ガラスが望ましい。
【００１７】
照明ランプ５０は、発光部６０と内部全反射プリズム７０と口金５５とガラス管５６とを備える。
発光部６０は、発光ダイオード（ＬＥＤ５１）と基板５２とヒートシンク５４を有している。換言すると、発光部６０は、ＬＥＤ５１を搭載している。更には、発光部６０は、複数のＬＥＤ５１を配列して搭載している。
発光部６０は、ガラス管５６に収納されて、照明ランプ５０の発光方向（図１では上方向）に光を発光する。発光部６０は、ガラス管５６の長手方向に渡って延在している。
【００１８】
内部全反射プリズム７０は、発光部６０の両サイド（ＬＥＤ５１の横）に配置されている。内部全反射プリズム７０は、ＬＥＤ５１からの光の進行方向を変える（変化させる）ものである。内部全反射プリズム７０は、ガラス管５６の長手方向に渡って延在している。
【００１９】
ＬＥＤ５１は、光源の一例であり、ＬＥＤ（発光ダイオード）単体又はＬＥＤモジュールからなる。ＬＥＤ５１は、ＬＥＤチップともいう。
基板５２は、複数のＬＥＤ５１を搭載し、複数のＬＥＤ５１を均等に配置配列している。
【００２０】
ヒートシンク５４は、アルミニウム製などの金属製であり、基板５２を取り付ける台座となりかつ放熱部材となる。すなわち、ヒートシンク５４は基板５２を固定する。
【００２１】
ガラス管５６の両端に一対の口金５５がある。
各口金５５は、一対の給電端子５８を備えている。給電端子５８の本数や形は、図の例に限らず他の本数でも他の形状でもよい。
【００２２】
１対の口金５５は、ガラス管５６の両端を覆うとともに、発光部６０のヒートシンク５４の両端とガラス管５６の両端とに固定されている。
【００２３】
照明ランプ５０は、長期使用の観点で、使用中に安全を損なうランプ内へのホコリの侵入ができない構造を備えている。すなわち、ガラス管５６と口金５５とは接着されており、発光部６０は、密封されている。
【００２４】
照明ランプ５０は、ガラス製外郭を有し外形が従来通りの市販されている直管形蛍光ランプと同じ形状である。
【００２５】
図２は、実施の形態１の発光部６０と内部全反射プリズム７０との斜視図である。
図３は、図１の照明ランプ５０のＡＡ断面図である。
【００２６】
内部全反射プリズム７０は、光学パーツからなり、２つの三角プリズムと反射板（反射ミラー）を組み合わせたプリズムである。
内部全反射プリズム７０は、入射プリズム７１と出射プリズム７２と反射ミラー７３を有している。
入射プリズム７１は、三角柱の三角プリズムである。
出射プリズム７２も、三角柱の三角プリズムである。
入射プリズム７１は、光を入射し、出射プリズム７２は光を出射する。
【００２７】
入射プリズム７１の１面（斜面）と出射プリズム７２の１面（斜面）とは同一面で接合されている。
入射プリズム７１の下面には、反射ミラー７３を配置する。
【００２８】
両側の内部全反射プリズム７０は、ＬＥＤ５１に対して対称に配置されている。そして、内部全反射プリズム７０は、配列されて配置されたＬＥＤ５１の両側に帯状に配置されている。
両側の内部全反射プリズム７０とＬＥＤ５１との距離は同じである。
両側の内部全反射プリズム７０は、基板５２の表面に水平に取り付けられており、傾きが同じである。
両側の内部全反射プリズム７０の種類は同じである。
両側の内部全反射プリズム７０の仕様も同じである。
【００２９】
入射プリズム７１と出射プリズム７２の材料は、例えば、ガラス、プラスチック、樹脂又は、ＵＶ溶融石英である。
【００３０】
内部全反射プリズム７０を基板５２に固定する場合は、基板５２の表面に、内部全反射プリズム７０の長手方向両端を接着剤で瞬着（仮止め）してから、内部全反射プリズム７０の後側面を長手方向の複数個所に接着剤をポッティングにより供給して固定する。接着剤としては、ＵＶ接着剤又はエポキシ系接着剤を用いる。
【００３１】
反射ミラー７３は、例えば、反射鏡、又は、反射シート、又は、輝度向上フィルムである。
反射ミラー７３を、入射プリズム７１の下面への蒸着や塗装や成膜により形成してもよい。
また、反射効率の向上のため、入射プリズム７１の下面を鏡面仕上げ（磨き）することが望ましい。
又は、反射ミラー７３を、基板５２の表面への蒸着や塗装や成膜により形成してもよい。
また、反射効率の向上のため、基板５２の表面を鏡面仕上げ（磨き）することが望ましい。
【００３２】
図３に示すように、ガラス管５６の内周面全体に、保護膜７９が形成されている。保護膜７９は、保護層と呼ばれることもある。
さらに、保護膜７９の内周面全体に、光拡散膜８０が形成されている。光拡散膜８０は、光拡散層と呼ばれることもある。
そして、ガラス管５６に保護膜７９と光拡散膜８０とが形成されたものを光拡散カバー４０と称する。
ヒートシンク５４の下面（裏面）の一部分に接着剤９０が塗布されて、光拡散膜８０に接着されている。
長手方向と直交する平面によるヒートシンク５４の断面形状は、Ｄ字状形状あるいは半月形状をしている。ヒートシンク５４は、平板部６２と弧状部６３とからなる一体成型された一つの部品である。ヒートシンク５４の断面中央には、中空部６４がある。中空部６４の円弧部分の下方に弧状部６３があり、中空部６４の上方の弦部分に平板部６２がある。
【００３３】
図３の点線で示すとおり、ＬＥＤ５１は、配光角Ｈを有している。
配光角とは、光軸（中心）の明るさに比べて明るさが半分になる角度をいう。
内部全反射プリズム７０は、配光角Ｈより外の光を入射して、発光方向に出射する。換言すると、内部全反射プリズム７０は、ＬＥＤ５１の横に放射された光の進行方向をＬＥＤ５１の発光方向に変更する。もしくは、内部全反射プリズム７０は、ＬＥＤ５１の配光角外の光を、ＬＥＤ５１の配光角内の光になるように進路変更する。
【００３４】
図４は、内部全反射プリズム７０の光の進行方向の説明図である。
図４を用いて、内部全反射プリズム７０の光の進行方向について説明する。
ＬＥＤ５１から入射プリズム７１の面Ｍ１に直接照射された直接光は、面Ｍ１を通過して面Ｍ２に到達する。
ここで、面Ｍ１は、入射プリズム７１の入射面である。また、面Ｍ２は、入射プリズム７１の１面と出射プリズム７２の１面とが同一の面となっている箇所である。換言すると、面Ｍ２は、入射プリズム７１と出射プリズム７２とが接合されている面である。
【００３５】
入射プリズム７１の面Ｍ２に到達した光のうち入射角が臨界角を超えた光は、面Ｍ２で反射され面Ｍ３到達する。ここで、面Ｍ２は反射面である。
ここで、面Ｍ３は、入射プリズム７１の下面であり、反射ミラー７３が配置された面である。すなわち、面Ｍ３は、入射プリズム７１の下面と反射ミラー７３とが同一の面となっている箇所である。換言すると、面Ｍ３は、入射プリズム７１と反射ミラー７３とが接合されている面である。
そして、入射プリズム７１は、入射した光（面Ｍ１を通過した光）を反射ミラー７３に照射する。
【００３６】
面Ｍ３では、反射ミラー７３により光は全反射される。ここで、面Ｍ３は反射面である。
全反射された光は、面Ｍ２に到達する。
すなわち、反射ミラー７３は、照射された光を反射プリズム７４に反射する。
【００３７】
面Ｍ２に到達した光は、面Ｍ２を通過し、さらに、出射プリズム７２の面Ｍ４を通過して放出（出射）される。ここで、入射プリズム７１において面Ｍ２は出射面であり、出射プリズム７２において面Ｍ２は入射面である。
また、面Ｍ４は、出射プリズム７２の出射面である。
すなわち、出射プリズム７２は、反射ミラー７３により反射された光を出射する。
【００３８】
また、ＬＥＤ５１から発光方向に照射された光は、光拡散カバー４０により拡散されるが、一部反射され輻射光となる。輻射光の一部は内部全反射プリズム７０に到達する。
内部全反射プリズム７０に到達した輻射光は、直接光と同様に、面Ｍ１を透過して面Ｍ２に到達し、反射ミラー７３で全反射され面Ｍ４を透過して発光方向の光となる。
【００３９】
なお、前述した内部全反射プリズム７０の固定方法を図４に示す。前述の通り、内部全反射プリズム７０を基板５２に固定する場合は、基板５２の表面に、内部全反射プリズム７０の長手方向両端を接着剤９１で瞬着（仮止め）してから、内部全反射プリズム７０の後側面を長手方向の複数個所に接着剤９１をポッティングにより供給して固定する。そして、前述の通り、接着剤９１としては、ＵＶ接着剤又はエポキシ系接着剤を用いる。
【００４０】
入射光の進行方向と出射光の進行方向は、内部全反射プリズム７０の仕様により設定できる。
内部全反射プリズム７０の代わりに、反射板を用いた場合は、反射板への入射光の入射角により出射光の進行方向が決定するが、この実施の形態では、出射光の進行方向を内部全反射プリズム７０の仕様により設定することができる。
【００４１】
光量を増加させたい方向に出射光の進行方向を向けるために、光量を増加させたい方向に応じた光学パーツの選定をすればよい。
【００４２】
この実施の形態によれば、光学パーツを利用することにより、ＬＥＤ５１からの放射光（直接光）と周辺の反射光（輻射光）を反射・透過し、光の高効率化、高配光化を実現することができる。
また、ＬＥＤ５１の個数を増加させることなく、光の高効率化、広配光化を実現することができる。そして、ＬＥＤ５１の個数を増加させないので、消費電力やコストの増加を防ぐことが出来る。
また、光を拡散させるための大幅な構造変更なく、従来品の流用により、もしくは、小変更により、光の高効率化、高配光化を実現することができる。
【００４３】
そして、内部全反射プリズム７０を用いることにより、光の進行方向の調整幅が大きくなる。
また、内部全反射プリズム７０を構成する入射プリズム７１と出射プリズム７２とは、三角柱なので、強度が高い。
更に、例えばホールミラーを用いた反射光に比べ、内部全反射プリズム７０による反射光はムラが無くなる。
【００４４】
実施の形態２．
以下、実施の形態１と異なる点を説明する。
図５は、実施の形態２の照明ランプ５０のＡＡ断面図である。
図５に示すように、基板５２の両サイドを折り曲げて、内部全反射プリズム７０を傾斜させて取り付けてもよい。すなわち、内部全反射プリズム７０の取付部に角度を持たせ、内部全反射プリズム７０を傾斜させて取り付ける。
【００４５】
このように、光量を増加させたい方向に出射光の進行方向を向けるために、光量を増加させたい方向に応じて光学パーツを傾斜させればよい。
【００４６】
実施の形態３．
以下、実施の形態１と異なる点を説明する。
図６は、実施の形態３の照明ランプ５０のＡＡ断面図である。
図６に示すように、基板５２の両サイドのヒートシンク５４に内部全反射プリズム７０を取り付けてもよい。
基板５２上に内部全反射プリズム７０の取付部を設ける必要がなく、基板５２を小型化し、基板５２のコストを低減することが可能である。
【００４７】
実施の形態４．
以下、実施の形態１と異なる点を説明する。
図７は、実施の形態４の照明ランプ５０のＡＡ断面図である。
図７に示すように、ヒートシンク５４の両サイドを傾斜させて、ヒートシンク５４の傾斜面に内部全反射プリズム７０を傾斜させて取り付けてもよい。
【００４８】
このように、光量を増加させたい方向に出射光の進行方向を向けるために、光量を増加させたい方向に応じて光学パーツを傾斜させればよい。
【００４９】
実施の形態５．
以下、実施の形態１と異なる点を説明する。
図８は、実施の形態５の発光部６０の斜視図である。
図９は、実施の形態５の照明ランプ５０のＡＡ断面図である。
図８、図９に示すように、単一の反射プリズム７４を用いて内部全反射プリズム７０を構成してもよい。反射プリズム７４は、三角柱のプリズムである。
【００５０】
反射プリズム７４として使用するプリズムは、日東光器株式会社製や佐野富士光機株式会社製のものを用いることができる。基本的には、反射プリズム７４として、９０度反射の三角プリズム（直角プリズム）を用いるが、プリズム角度により、光の反射角度調整は可能である。
【００５１】
図８に示すように、反射プリズム７４の下面には反射ミラー７３が設けられている。
【００５２】
そして、図９に示すように、ＬＥＤ５１から反射プリズム７４に照射された光は、面Ｍ１で反射され、発光方向に進路変更される。
ここで、面Ｍ１は、反射プリズム７４の入射面であり、反射プリズム７４はＬＥＤ５１の光を入射面で反射する。
【００５３】
また、ＬＥＤ５１から発光方向に照射された光は、光拡散カバー４０により拡散されるが、点線で示すように、一部、反射され輻射光となる。
輻射光の一部は、面Ｍ１に到達する。面Ｍ１に到達した光は、面Ｍ１を透過する。すなわち、反射プリズム７４は、ＬＥＤ５１の光が光拡散カバー４０により反射されて戻ってきた輻射光を入射する。
そして、面Ｍ１を透過した光は、面Ｍ２に到達する。
ここで、面Ｍ２は、反射プリズム７４の下面と反射ミラー７３とが同一の面となっている箇所である。換言すると、面Ｍ２は、反射プリズム７４と反射ミラー７３とが接合されている面である。
すなわち、反射プリズム７４は、輻射光を反射ミラー７３に照射する。
【００５４】
面Ｍ２に到達した光は、反射ミラー７３で全反射され面Ｍ１を透過して発光方向の光となる。ここで、面Ｍ２は反射面であり、面Ｍ１は出射面でもある。
すなわち、反射ミラー７３は照射された光を反射プリズム７４に反射し、反射プリズム７４は、反射ミラー７３により反射された光を出射する。
【００５５】
このように、実施の形態５の照明ランプ５０は、光拡散カバー４０で反射された輻射光をＬＥＤ５１の発光方向に進路変更することが可能である。
【００５６】
実施の形態６．
以下、実施の形態５と異なる点を説明する。
図１０は、実施の形態６の照明ランプ５０のＡＡ断面図である。
図１０に示すように、実施の形態５と同様に三角柱の反射プリズム７４により内部全反射プリズム７０は構成される。そして、反射プリズム７４の下面には反射ミラー７３が設けられている。
ここで、実施の形態６の反射プリズム７４は、入射面（面Ｍ１）にて照射された光のうち、所定の角度で照射された光を反射する。すなわち、反射プリズム７４は、入射面（面Ｍ１）にて照射された光の一部を反射して、照射された光の一部をＬＥＤ５１の発光方向に進路変更する（図１０の太実線の矢印）。
一方、反射プリズム７４は、入射面により反射されなかった光を入射（面Ｍ１で透過）する（図１０の点線の矢印）。ここで、例えば、反射プリズム７４は、入射面により反射されなかった光であって、所定の角度で照射された光を入射（面Ｍ１で透過）する。
【００５７】
そして、面Ｍ１を透過した光（面Ｍ１から入射した光）は、面Ｍ２に到達する。すなわち、反射プリズム７４は、入射した光を反射ミラー７３に照射する。
面Ｍ２に到達した光は、反射ミラー７３で全反射され面Ｍ１を透過して発光方向の光となる。
すなわち、反射ミラー７３は照射された光を反射プリズム７４に反射し、反射プリズム７４は、反射ミラー７３により反射された光を出射する。
【００５８】
このように、実施の形態６の照明ランプ５０は、反射プリズム７４の入射面で反射されなかった光（進路変更されなかった光）をＬＥＤ５１の発光方向に進路変更することが可能である。
【００５９】
実施の形態７．
以下、実施の形態５及び実施の形態６と異なる点を説明する。
図１１は、実施の形態８の照明ランプ５０のＡＡ断面図である。
図１１に示すように、反射プリズム７４の面Ｍ１を凸面にしてもよい。
【００６０】
実施の形態８．
以下、実施の形態５及び実施の形態６及び実施の形態７と異なる点を説明する。
図１２は、実施の形態７の照明ランプ５０のＡＡ断面図である。
図１２に示すように、反射プリズム７４の面Ｍ１を凹面にしてもよい。
【００６１】
実施の形態９．
上記各実施の形態と異なる点を説明する。
ＬＥＤ５１の両側の内部全反射プリズム７０は、ＬＥＤ５１に対して対称に配置されていなくてもよい。
ＬＥＤ５１の両側の内部全反射プリズム７０とＬＥＤ５１との距離が異なっていてもよい。
ＬＥＤ５１の両側の内部全反射プリズム７０の傾きが異なっていてもよい。
ＬＥＤ５１の両側の内部全反射プリズム７０の種類が異なっていてもよい。
ＬＥＤ５１の両側の内部全反射プリズム７０の仕様が異なっていてもよい。
一方の内部全反射プリズム７０を基板５２に配置し、他方の内部全反射プリズム７０をヒートシンク５４に配置してもよい。
【００６２】
直角プリズムの代わりに、ペンタプリズムを用いてもよい。
直角プリズムの代わりに、正三角形プリズムを用いてもよい。正三角形プリズムを用いると光はプリズムの持つ屈折率によってそれぞれの波長に分解されるので光を分光することができる。
【００６３】
内部全反射プリズム７０は、ＬＥＤ５１の両側になくてもよく、片側だけでもよい。
内部全反射プリズム７０は、ＬＥＤ５１の両側だけでなく、周囲にあってもよい。
内部全反射プリズム７０は、ＬＥＤ５１の３６０度周囲に環状に配置されてもよい。
【００６４】
照明ランプ５０は、直管型でなくてもよい。
照明ランプ５０は、環型でもよい。
照明ランプ５０は、電球型、なすび型、半球型、ボール型でもよい。
【００６５】
内部全反射プリズム７０に用いられる光学パーツは、基板５２又はヒートシンク５４以外に取り付けてもよい。
内部全反射プリズム７０に用いられる光学パーツは、基板５２の周囲に取り付けた周辺部品に取り付けてもよい。
内部全反射プリズム７０に用いられる光学パーツは、口金５５又はガラス管５６又はその他の筺体に取り付けてもよい。
【００６６】
内部全反射プリズム７０に用いられる光学パーツの素材として、鉱石、樹脂、ガラス、金属、又は、これらの組み合わせを対象としてもよい。
光学パーツの例として、プリズムミラーや反射ミラーを活用するが、光学パーツの形状は、目的に応じて形状、構造を変えて利用すればよい。必要が有れば、蒸着等の膜を形成してもよい。
【００６７】
以上、本発明の実施の形態について説明したが、これらの実施の形態のうち、２つ以上を組み合わせて実施しても構わない。あるいは、これらの実施の形態のうち、１つを部分的に実施しても構わない。あるいは、これらの実施の形態のうち、２つ以上を部分的に組み合わせて実施しても構わない。なお、本発明は、これらの実施の形態に限定されるものではなく、必要に応じて種々の変更が可能である。
【符号の説明】
【００６８】
４０  光拡散カバー、５０  照明ランプ、５１  ＬＥＤ、５２  基板、５４  ヒートシンク、５５  口金、５６  ガラス管、５８  給電端子、６０  発光部、６２  平板部、６３  弧状部、６４  中空部、７０  内部全反射プリズム、７１  入射プリズム、７２  出射プリズム、７３  反射ミラー、７４  反射プリズム、７９  保護膜、８０  光拡散膜、９０  接着剤、９１  接着剤、Ｈ  配光角。
【図１】
2014056790.tif 000003
【図２】
2014056790.tif 000004
【図３】
2014056790.tif 000005
【図４】
2014056790.tif 000006
【図５】
2014056790.tif 000007
【図６】
2014056790.tif 000008
【図７】
2014056790.tif 000009
【図８】
2014056790.tif 000010
【図９】
2014056790.tif 000011
【図１０】
2014056790.tif 000012
【図１１】
2014056790.tif 000013
【図１２】
2014056790.tif 000014